【事件の表示】
　平成１０年特許願第３２９３５９号「弾球遊技機」拒絶査定不服審判事件〔平成１２年　６月　６日出願公開、特開２０００−１５３０３３〕について、次のとおり審決する。
【結　論】
　本件審判の請求は、成り立たない。
【理　由】
１．手続の経緯・本願発明
　本願は、平成１０年１１月１９日の出願であって、請求項１ないし６に係る発明のうち、その請求項１に係る発明（以下、本願発明１という。）は、平成１７年３月２５日付け手続補正書により補正された明細書及び図面の記載からみて、その請求項１に記載された事項により特定される次のとおりのものである。
　「
環状に配置された内ガイドレールの内側の遊技領域(13)における左右方向略中央に配置された
、前記内ガイドレールの内側近傍に
該通常・特定表示手段(28)は、前記図柄表示手段(29)の変動開始と同時又は若干遅れて前記発光体(25)〜(27)の表示状態を変化させ、前記図柄表示手段(29)の変動終了と同時又は若干遅れてその表示を終了させるように構成され、
　
２．刊行物の記載内容
　これに対して、当審において拒絶の理由に引用され、本願の出願前に頒布された特開平１０−２２５５５７号公報（以下、「刊行物」という。）には、次のことが記載されている。
「【０００１】
【発明の属する技術分野】
　本発明は図柄表示部を備えた弾球遊技機に関し、より多くの特別の利益を遊技者に与えるための技術に関する」、
「【００１０】
　パチンコ機１０の表面側について、図１を参照しながら説明する。図１において、パチンコ機１０の遊技盤面１２には、複合装置１４、ランプ類１６、第１種始動口１８、大入賞口２０等が適宜に配置して設けられている。ここで、複合装置１４には、図２に示すように、普通図柄表示装置４６、特別図柄表示装置５０、普通図柄メモリランプ４４、特別図柄メモリランプ４８、ゲート４２，５２、特定領域センサ４０，５４等が設けられている。・・・」、
「【００１１】
　普通図柄表示装置４６は普通図柄を表示する。この普通図柄はパチンコ球がゲート４２，５２を通過したときに変動が始まり、普通図柄変動期間（例えば、３０秒間）を経過した後に停止する。・・・
【００１３】
・・・普通図柄表示装置４６に変動後に停止して表示された普通図柄が当たり図柄の場合には、役物３６が所定期間（例えば１秒間）だけ開放されるようになっている。」、
「【００１７】
　次に、上記構成をなすパチンコ機１０において本発明を実現するための処理手順について、図４〜図８を参照しながら説明する。・・・ここで、図４では第１始動口処理を、図５では特別図柄処理を、図７ではチャンス図柄変動処理を、図８では大入賞口開閉処理をそれぞれ示すフローチャートである。また、図６では特別図柄表示装置に表示される特別図柄とチャンス図柄とを示す。」、
「【００１８】
　まず、図４に示す手順では、第１種始動口に対するパチンコ球の入賞処理を行う。特別図柄表示装置５０に特別図柄が停止して表示されている状態において、第１種始動口１８にパチンコ球が入賞した場合には次のように処理される。すなわち、始動口センサ３２から出力された検出信号を受けて、ステップＳ１０では入賞した（ＹＥＳ）と判別される。第１種カウンタは、特別図柄表示装置５０に特別図柄が変動して表示されている間に第１種始動口１８に入賞したパチンコ球の数をカウントするカウンタである。そして、第１種カウンタをカウントアップした後［ステップＳ１２］、特別変動フラグのオン／オフを判別する［ステップＳ１６］。この特別変動フラグは、特別図柄表示装置５０に特別図柄が変動して表示されている期間内にオンとなり、特別図柄表示装置５０に特別図柄が停止して表示されている期間内はオフとなる。・・・」、
「【００２０】
　次に、図５に示す特別図柄処理は確率選択手段を具体化した処理である。・・・特別変動フラグがオンならば（ＹＥＳ）、特別図柄表示装置５０に特別図柄の変動表示を開始する［ステップＳ３２］。・・・図６（Ａ）に示すように、特別図柄表示装置５０の表示画面５０ａ（一部または全部）には、例えば領域３１０，３１２，３１４に特別図柄（例えば英数字の図柄）がそれぞれ変動して表示される。
【００２１】
・・・特別図柄変動期間が経過すると（ＹＥＳ）、特別図柄表示装置５０に変動して表示していた特別図柄を停止させ［ステップＳ３６］、・・・停止して表示されている特別図柄が大当たり図柄と一致しているときには（ＹＥＳ）、大入賞口フラグおよび確率選択フラグをともにオンに設定するとともに［ステップＳ４２］、停止した特別図柄に応じてチャンス図柄の当たり確率を選択し［ステップＳ４４］、特別図柄処理を終了する。ここで、大入賞口フラグは、大入賞口２０の蓋２０ａを大入賞口開放期間だけ開けるときにオンとなり、開けないときにオフとなるフラグである。また、確率選択フラグは複数の確率の中から一の確率を選択するとともに、チャンス図柄の変動表示を行うためのフラグである。」、
「【００２６】
　次に、図７に示すチャンス図柄変動処理は第２の利益提供手段を具体化した処理であって、大当たり確率を変える処理を行う。すなわち、特別図柄表示装置５０に停止して表示された特別図柄が大当たり図柄ならば、チャンス図柄の変動を始める。そして、その後に停止して表示されたチャンス図柄が当たり図柄（☆☆☆）ならば、次回（または次回以降）の特別図柄の大当たり確率を高くする。」、
「【００２９】
次に、図８に示す大入賞口開閉処理は第１の利益提供手段を具体化した処理であって、大入賞口２０の開閉処理を行う。具体的には、まず大入賞口フラグの状態を判別し［ステップＳ７０］、その大入賞口フラグがオンならば大入賞口２０を開ける［ステップＳ７２］。」、
「【００３４】
〔他の実施の形態〕上述した弾球遊技機におけるその他の部分の構造，形状，大きさ，材質，個数，配置および動作条件等については、上記実施の形態に限定されるものでない。例えば、上記実施の形態を応用した次の各形態を実施することもできる。これらの場合であっても、上記実施の形態と同様の効果を得ることができる。・・・
【００３５】
　（１）本発明では・・・この形態に限ることなく、当該特別図柄に応じて遊技者に特別の利益を提供する他の形態適用可能である。具体的には、次のような形態が一例として挙げられる。
　　　ａ）その特別図柄に応じて、その後に行われるクジ引きにおいて普通図柄表示装置４６の普通図柄変動期間および／または特別図柄表示装置５０の特別図柄変動期間を伸縮する。・・・
【００３８】・・・
　（６）・・・特別図柄表示装置５０の特別図柄とチャンス図柄とをほぼ同時に変動を始めてもよい。また、停止時期についても、特別図柄とチャンス図柄とを同時に停止させてもよく、あるいはチャンス図柄を特別図柄よりも早く停止させてもよい。・・・
【００３９】
　（７）図柄の制御については、遊技球が第１始動口に入賞し、乱数のよって当たり／外れを決定した後に、当たり図柄乱数／外れ図柄乱数により図柄内容を決定するようにしてもよい。
【００４０】・・・
  （９）チャンス図柄の内容によって遊技者に特別図柄の確率変動の有無を伝達する形態に限らず、他の伝達手段によって伝達する形態としてもよい。他の伝達手段としては、例えばランプの点灯（点滅を含む）・・・等がある。ランプの点灯の場合では、遊技盤面１２等にランプを複数個設け、点灯した場所（位置）や点灯のパターンに応じて特別図柄の確率変動を決定する形態が実現される。」。
　
　上記刊行物の【００１０】ないし【００２９】及び技術常識によれば、
「環状に配置された内ガイドレールの内側の遊技盤面(12)における左右方向略中央に配置された特別図柄表示装置(50)の特別図柄(310)，(312)，(314)の領域と、ゲート(42)、(52)と、該ゲート(42)、(52)からの変動要求により図柄が所定時間変動する普通図柄表示装置(46)と、該普通図柄表示装置(46)の変動後の停止図柄が当たり図柄となったときに開放する第１種始動口(18)と、該第１種始動口(18)からの変動要求により図柄が所定時間変動する特別図柄表示装置(50)の特別図柄(310)、(312)、（314）の領域と、特別図柄表示装置(50)の特別図柄(310)、(312)、（314）の領域の変動後の停止図柄が特定図柄となることを条件に遊技者に有利な特定状態を発生させる弾球遊技機において、特別図柄表示装置(50)の特別図柄(310)、(312)、（314）の変動後の停止図柄が所定図柄となることを条件に変化して択一的に通常表示と特定表示とを行う特別図柄表示装置(50)のチャンス図柄(300)、(302)の領域を備え、特別図柄表示装置(50)のチャンス図柄(300)、(302)の領域の表示状態に応じて、その通常表示を条件に特定状態の内の通常特定状態を発生する機能と、特定表示を条件に通常特定状態の利益に加えて次回に特定状態になる確率を高くする特別特定状態を発生する機能とを備えた弾球遊技機。」の発明が上記刊行物に記載されていると認められる（以下、「刊行物記載の発明」という）。
　また、上記刊行物の【００３４】ないし【００４０】には、他の実施の形態が記載されている。
　
３．対比・判断
　本願発明１と刊行物記載の発明とを対比すると、刊行物記載の発明の「遊技盤面(12)」、「第１種始動口(18)」は、それぞれ本願発明１の「遊技領域」、「変動要求手段」に相当し、刊行物記載の発明の特別図柄表示装置(50)は「特別図柄(310)、(312)、（314）の領域」と、次回に特定状態になる確率を高くする「チャンス図柄(300)、(302)の領域」とを備えるから、刊行物記載の発明は、本願発明１の「図柄表示手段」及び「通常・特定表示手段」を有しており、刊行物には「図柄変動制御手段」及び「特定状態発生手段」は事実上記載されているから、両者は、
「環状に配置された内ガイドレールの内側の遊技領域における左右方向略中央に配置された図柄表示手段と、変動要求手段と、該変動要求手段からの図柄変動要求があることを条件に図柄表示手段の図柄を所定時間変動させる図柄変動制御手段と、図柄表示手段の変動後の停止図柄が特定図柄となることを条件に遊技者に有利な特定状態を発生させる特定状態発生手段とを備えた弾球遊技機において、変化要求により表示状態が変化して択一的に通常表示と特定表示とを行う通常・特定表示手段を備え、特定状態発生手段は、通常・特定表示手段の表示状態に応じて、その通常表示を条件に特定状態の内の通常特定状態を発生する機能と、特定表示を条件に通常特定状態よりも有利な特別特定状態を発生する機能とを備えた弾球遊技機。」である点で一致し、次の点で相違する。
（相違点）
　本願発明１の通常・特定表示手段が、変動要求手段からの変化要求により発光体の表示状態が乱数制御により光学的に変化して択一的に通常表示と特定表示とを行い、前記内ガイドレールの内側近傍に備えられ、前記図柄表示手段の変動開始と同時又は若干遅れて前記発光体の表示状態を変化させ、前記図柄表示手段の変動終了と同時又は若干遅れてその表示を終了させるように構成されるものであるのに対し、刊行物記載の発明の通常・特定表示手段は、図柄表示手段の変動後の停止図柄が所定図柄となることを条件に表示状態が変化する点。
　
　上記相違点を検討すると、同刊行物の【００３９】（７）には、刊行物記載の発明の他の実施の形態として、図柄の制御を乱数により行ってもよいことが記載されており、刊行物記載の発明において、本願発明１のように、変化要求により通常・特定表示手段の表示状態が乱数制御により変化するようにすることは、当業者であれば容易に思い付くことである。
　また、【００４０】（９）には、刊行物記載の発明の他の実施の形態として、ランプの点灯の場合では、遊技盤面１２等にランプを複数個設け、点灯した場所（位置）や点灯のパターンに応じて特別図柄の確率変動を決定することが記載されており、刊行物記載の発明において、本願発明１のように、通常・特定表示手段を、光学的に変化して択一的に通常表示と特定表示とを行うようにすること及び遊技領域に備えることは、当業者であれば容易に思い付くことであり、その際に通常・特定表示手段を遊技領域の内ガイドレールの内側近傍に備えることは、単なる設計的事項にすぎない。
　さらに、上記刊行物の【００３８】（６）には、刊行物記載の発明の他の実施の形態として、特別図柄とチャンス図柄とをほぼ同時に変動を始めてもよいこと、及び、停止時期についても、特別図柄とチャンス図柄とを同時に停止させてもよいことが記載されており、刊行物記載の発明において、本願発明１のように、図柄表示手段の変動開始と同時に表示状態を変化させ、前記図柄表示手段の変動終了と同時にその表示を終了させるように構成することは、当業者であれば容易に思い付くことである。
　結局、刊行物記載の発明において上記相違点の本願発明１に係る構成とすることは、当業者であれば容易になし得ることである。
　そして、本願発明１のように構成したことによる格別の作用効果も認められない。
　したがって、本願発明１は刊行物記載の発明に基いて当業者が容易に発明をすることができたものである。
　
４．むすび
　以上のとおり、本願発明１は、刊行物記載の発明に基いて当業者が容易に発明をすることができたものであるから、特許法第２９条２項の規定により特許を受けることができず、本願の他の請求項に係る発明を検討するまでもなく、本願は拒絶をすべきものである。
　よって、結論のとおり審決する。